(57)【要約】      （修正有）【課題】筺体の内箱外周壁面の内部に設けられた光源でその内部に収納された被照明体をフロント照明でき、同時に被照明体の出し入れを簡易に行える照明付き収納箱を提供する。【解決手段】箱型筐体を外箱１とその内部で一方向に滑動（スライド）可能な内箱２で構成し、該内箱２の縁辺部３内に照明装置を装着し該内箱２の内部に容器状に設けられる凹状陥没部に収納された充填物等を照明する。ここに該外箱１の天面１１には透明な板もしくはシートを用い該外箱１から該内箱２に収納される充填物等が透けて見えるような構成材としてのみならずその充填物等が照明される際の照明光用反射板としても作用させる。【選択図】図２
0003176617.tif 000002
【実用新案登録請求の範囲】
【請求項１】
内箱とこれを覆う外箱から成る額縁状矩形筐体において、該内箱の外面が該外箱の内面に沿って滑動（スライド）し該外箱の少なくとも一方の側面方向が解放可能でこの方向に出し入れ可能で、該内箱は天面側の外周部に沿った縁辺部およびこれに連結して底面につながる側壁で容器として形成される中央の矩形凹状陥没部に食品や工作物等充填物および紙等に描かれた図画、文書等を適宜収納でき、該容器外周の該側壁および該縁辺部ならびに該内箱の側面および底面で構成される空間内に電池等電源およびこれにより駆動される光源等電気系を内包し、該外箱の天面は透明な樹脂やガラス等で構成され該充填物や図画等を該光源で照明できるようにしてなる照明付きスライド箱。
【請求項２】
請求項１に記載の照明付きスライド箱において外箱を透明なポリエチレン系（ＰＥＴ）やスチレン系（ＡＳ）等樹脂シートの折り畳みで箱状構造を生成してなる照明付きスライド箱。
【請求項３】
請求項１に記載の照明付きスライド箱において内箱をケント紙、厚紙等紙の折り畳みで箱状構造を生成してなる照明付きスライド箱。
【請求項４】
請求項１に記載の照明付きスライド箱において外箱の天面部分のみは透明なポリエチレン系（ＰＥＴ）やスチレン系（ＡＳ）、アクリル系等樹脂もしくはガラスの板で他の部分は不透明な樹脂、木材あるいは紙で形成し印刷や貼着で適宜意匠処理を施してなる照明付きスライド箱。
【請求項５】
請求項１に記載の照明付きスライド箱において内箱縁辺部の天面に適宜細孔を設け該光源の光が外箱を通して筐体の天面方向に洩れ出るようにしてなる照明付きスライド箱。
【請求項６】
請求項１に記載の照明付きスライド箱において内箱のスライド方向にある外箱の側面の片方のみに壁を設け閉塞しこれに指先が入る程度の直径を有する貫通穴を設けて該内箱をスライド可能な方向に押し出せるようにしてなる照明付きスライド箱。
【考案の詳細な説明】
【技術分野】
【０００１】本考案は矩形形状の額縁状筐体の縁辺内部に照明装置を持ち、その内部に装着される図画、写真、文書あるいは食品や工作物等充填物等被照明体（以下被照明体）を照明する箱体に関するものである。
【背景技術】
【０００２】近時図画、写真、文書あるいは工作物等の現物をそのまま照明表示する額縁や写真立てのようなフロントライト型の装置が開発され普及しつつありその応用も進みつつある。
【考案の開示】
【０００３】本考案は、筐体の内箱外周壁面の内部に設けられた光源でその内部に収納された被照明体をフロント照明でき、同時に被照明体の出し入れを簡易に行える照明付き収納箱を提供する。
【考案が解決しようとする課題】
【０００４】従来菓子等食品や小さい工作物を照明してかつ実用的に簡易に出し入れできる専用の容器状収納箱はほとんど市場見られないが、近時照明付き額縁が開発されこの用途にも用いられつつある。しかし充填する方法や箱の材料は額縁の方法を用いているため使い勝手が悪く普及しにくい状況にある。
【課題を解決するための手段】
【０００５】本考案の照明付きスライド箱はその箱型筐体を外箱とその内部で一方向に滑動（スライド）可能な内箱で構成し、該内箱の縁辺部内に照明装置を装着し該内箱の内部に容器状に設けられる凹状陥没部に収納された充填物等を照明する。ここに該外箱の天面には透明な板もしくはシートを用い該外箱から該内箱に収納される充填物等が透けて見えるような構成材としてのみならずその充填物等が照明される際の照明光用反射板としても作用させる。
【考案の効果】
【０００６】本考案により、内箱の容器部に食品や工作物等充填物等を外箱からスライドして簡易に出し入れでき、かつその周辺部の光源により照明される筐体が可能となる。バレンタイン、桃の節句、こどもの日、クリスマス等の年中行事においてチョコレートや菓子類に図画や文言を描いたり印刷したりしたものを添えて箱に入れることは従来から行われるが、これを箱の天面（正面）方向から自由にアクセスして出し入れでき、合わせて内蔵の照明装置で照明しデスプレイ効果を向上させることが可能となる。食品以外に人形や織物等工作品等を充填する場合も同様である。本考案はこれらの作用により新しい付加価値を創出し、産業の振興に寄与しようとするものである。
【実施例】
【０００７】以下、本考案を図１、図２および図３を用いて応用実施例について説明する。図１は本考案による装置の代表例としての矩形形状の照明付きスライド箱の構造の概略斜視図であり、図２は図１の該照明付きスライド箱の内箱が同図右方向に外箱から引き出された状態を示す概略斜視図である。また図３は図１におけるＸ−Ｘ側断面図である。本装置の構造は主に外箱（１）と内箱（２）で構成される。該外箱（１）は正面側に透明な板もしくはシートより成る天面（１１）と紙、樹脂もしくは薄い木質板より成る外箱側面（１２）および外箱底面（１３）で、また該内箱（２）は同様に紙、樹脂もしくは薄い木質板より成る内箱側面（２２）および内箱底面（２３）でそれぞれ構成され互いに矢印Ａで示すように外箱（１）の少なくともひとつの開放側面方向に互いの側面および底面等をすりあわせながらそれに沿って滑動（スライド）可能なように設定される。該内箱（２）は天面（１１）と平行な面でその周囲に縁辺部（３）およびこれの内側の端部から内箱底面（２３）につながる内箱側壁（４）を有しこれらで内箱（２）の中央に矩形の凹状陥没部となる容器を構成する。この部分には先述の菓子や食品あるいは工作物等の充填物（６）や図画（７）等を収納できる。また同内箱（２）の前記容器相当部の周囲はその内部が図３で示されるように内箱側面（２２）、縁辺部（３）、側壁（４）および内箱底面（２３）で矩形断面の空間部分を構成し、内部に光源（５）およびその電源（８）等が配設される。光源（５）には発光ダイオード（ＬＥＤ）等小型の電球を用いこれを電池等電源（８）で駆動し両者は連絡用配線および電気回路（図示せず）で連結される。また該光源（５）は側壁（４）内に設けられる光源用窓部（５１）から出た光が充填物（６）および図画（７）等を効果的に照明できるように前記矩形断面の空間部分内の内箱側面（２２）もしくは縁辺部（３）上に適宜配設される。【０００８】以上により該内箱（２）内に充填物（６）および図画（７）等を適宜収納し照明するとともに、矢印Ａのようにスライドすることで外箱（１）の拘束なしに上記充填物（６）および図画（７）等を自由に入れたり出したりできるようになる。なお外箱（１）の天面（１１）には透明なポリエチレン系（ＰＥＴ）やスチレン系（ＡＳ）、アクリル系等樹脂もしくはガラスの板を用い内箱（２）内の充填物（６）や図画（７）等内部が透けて見えるようにするとともに照明時にはその光を上記板の背面で反射し照明効果を向上させ得る。ここに透明なポリエチレン系（ＰＥＴ）やスチレン系（ＡＳ）樹脂を用い該外箱（１）の天面（１１）だけでなく全体を同じ材料で折り畳んで箱状構造を生成できるよう構成（図示せず）すると構造形成の簡易化に有効である。同様に対応する内箱（２）全体をケント紙、厚紙等同じ材料で折り畳んで箱状構造を生成できるよう構成（図示せず）することも可能である。該外箱（１）および該内箱（２）はともにその外面に直接印刷したりラベル等印刷物等を貼着したり（図示せず）して意匠を整えることができる。【０００９】応用例として、該内箱（２）の縁辺部（３）の正面側で該光源（５）の近傍に適宜縁辺部細孔（３１）を設け該光源（５）の光が外箱（１）を通して筐体の天面方向に洩れ出るようにすると明るい室内の照明下でもデスプレィ効果が確保できる。特に変色するＬＥＤを用いると多彩に変化する光点が実現できる。また、内箱（２）の矢印Ａのスライド方向にある外箱（１）の側面の片方のみに壁を設け閉塞しこれに指先が入る程度の直径を有する貫通穴（１２１）を設けて該内箱をスライド可能な方向に押し出せるようにすると指で押す効果だけでなく内箱（２）の移動による外箱（１）との空間の空気の出入りも円滑になるため内箱（２）の出し入れが容易になる。なお、電気回路中に発停スイッチを設けたり音楽回路を設けることも自在である。
【図面の簡単な説明】
【００１０】
【図１】本考案に係る照明付きスライド箱構造の概略斜視図である。
【図２】図１の照明付きスライド箱の内箱が同図右方向に外箱から引き出された状態を示す概略斜視図である。
【図３】図１におけるＸ−Ｘ側断面図である。
【符号の説明】
【００１１】（１）外箱  （１１）天面  （１２）外箱側面  （１２１）穴  （１３）外箱底面  （２）内箱  （２２）内箱側面  （２３）内箱底面  （３）縁辺部  （４）側壁  （５）光源  （５１）光源用窓部  （６）充填物  （７）図画
【図１】
0003176617.tif 000003
【図２】
0003176617.tif 000004
【図３】
0003176617.tif 000005